(57)【要約】【課題】  キャップ本体と蓋体との組合せ物に対する、弾性体の組立て作業を不要とすると共に、弾性体の組付き状態が適正となるようにし、もって良好な動作を発揮する、この種のヒンジキャップを安価にかつ簡単に製作することを目的とする。【解決手段】  容器体２７に組付く有頂筒形状のキャップ本体２と、このキャップ本体２に、ヒンジ２１を介して、開閉回動可能に結合された蓋体１４と、ヒンジ２１の近傍のキャップ本体２部分と蓋体１４部分との間に組付き、蓋体１４に対して、この蓋体１４を全開姿勢に保持する弾力を作用させる弾性体２２と、から構成し、弾性体２２を、キャップ本体２の一部と、全開姿勢の蓋体１４の一部とを成形型面の一部として、軟質弾性材料でインサート成形して構成し、弾性体２２を成形と同時にキャップ本体２および蓋体１４に適正に組付ける。【選択図】図２
2006335401.tif 000002
【特許請求の範囲】
【請求項１】
容器体（２７）の口筒部（２８）に組付く、頂壁（４）に開口（１１）を開設した有頂筒形状のキャップ本体（２）と、該キャップ本体（２）に、ヒンジ（２１）を介して、前記開口（１１）を開閉すべく回動可能に結合された蓋体（１４）と、前記ヒンジ（２１）の近傍のキャップ本体（２）部分と蓋体（１４）部分との間に組付き、前記蓋体（１４）に対して、該蓋体（１４）を全開姿勢に保持する弾力を作用させる弾性体（２２）と、から構成し、前記弾性体（２２）を、前記キャップ本体（２）の一部と、全開姿勢の前記蓋体（１４）の一部とを成形型面の一部として、軟質弾性材料でインサート成形して成るヒンジキャップ。
【請求項２】
ヒンジ（２１）を間隔を空けて一対設け、キャップ本体（２）の頂壁（４）に、前記一対のヒンジ（２１）間に開放する陥没部（５）を形成し、蓋体（１４）の主体部である本体板（１５）に、前記一対のヒンジ（２１）間に対向位置する中央欠部（１９）を形成し、弾性体（２２）を、前記陥没部（５）に不動に組付く組付き固定部（２５）と、該組付き固定部（２５）に基端を連結し、延出端である結合端（２４）を、前記中央欠部（１９）の底端縁部に結合して、前記蓋体（１４）に弾力を作用させる作動部（２３）と、から構成した請求項１記載のヒンジキャップ。
【請求項３】
弾性体（２２）の組付き固定部（２５）の上面の、作動部（２３）側端部に、蓋体（１４）が閉姿勢となった状態で、前記作動部（２３）を下方から押上げ状に支える支え突片（２６）を起立設した請求項２記載のヒンジキャップ。
【請求項４】
開口（１１）を、複数個並べて設けて振出し孔とした請求項１、２または３記載のヒンジキャップ。
【請求項５】
筒壁（３）の前側上端部に、操作釦（６）を、連結片（７）を介して前後に揺動変位可能に連結し、前記操作釦（６）の上端に、該操作釦（６）の指先操作による揺動変位により、蓋体（１４）のキャップ本体（２）に対する閉姿勢を保持している係止を解除する押上げ片（８）を突設した請求項１、２、３または４記載のヒンジキャップ。
【発明の詳細な説明】
【技術分野】
【０００１】
本発明は、弾性体の弾力を利用して、蓋体の開放姿勢を、自己保持するように構成したヒンジキャップに関するものである。
【背景技術】
【０００２】
容器体の口筒部に組付き、開口を形成するキャップ本体と、このキャップ本体に、開口を開閉すべく、回動可能にヒンジ結合された蓋体と、キャップ本体と蓋体との間に組付き、蓋体に対して、この蓋体を全開姿勢に保持する弾力を作用させる弾性体と、から構成されるヒンジキャップが、従来技術として知られている。
【０００３】
この弾性体付きヒンジキャップは、ヒンジ結合されたキャップ本体と蓋体との間に、ヒンジと重なる位置関係で、一端を蓋体に結合し、他端をキャップ本体に突当り可能に組付けた板棒状の弾性体を組付け、弾性体の直線姿勢に復帰しようとする弾力を、蓋体を全開姿勢に保持させる力としている。
【０００４】
ヒンジ結合されたキャップ本体と蓋体との組合せ物と、弾性体とは、全く別個に成形され、独立した組立て作業により、組立てられることになる。
【０００５】
また、蓋体を全開姿勢に保持するための弾性体を設けた、上記した従来技術にあっては、蓋体先端を、指先で直接押上げることにより、キャップ本体と蓋体との間の、閉姿勢保持のための係止を解除し、後は弾性体の弾力により、蓋体を全開姿勢まで回動させるものとしている。
【特許文献１】特開平０８−２４４８１９号公報
【発明の開示】
【発明が解決しようとする課題】
【０００６】
しかしながら、上記した従来技術にあっては、キャップ本体と蓋体との組合せ物に対する弾性体の、面倒で独立した組立て作業が必要であるので、完成品としてのヒンジキャップを得るのに、作業工数が増えると共に、作業内容が面倒であり、このため工賃が大幅に増加する、と云う問題があった。
【０００７】
また、弾性体が軟質であるので、キャップ本体および蓋体の、弾性体を結合させる部分の構造が大幅に限定されることになり、このため弾性体の組付け作業が面倒なものとなったり、弾性体の組付け強度が不充分となり易い、と云う問題があった。
【０００８】
さらに、蓋体の閉姿勢状態では、蓋体に対して、弾性体の弾力が、開方向に常に作用しているので、蓋体の閉姿勢を保持するために、キャップ本体と蓋体との間に作用している係止力は、弾性体の弾力に充分打ち勝つ強さとなっているため、指先による蓋体の開放には、比較的大きな操作力を要することになり、このため必ずしも円滑な蓋体の開放操作を得ることができるとは限らない、と云う問題があった。
【０００９】
そこで、本発明は、上記した従来技術における問題点を解消すべく創案されたもので、キャップ本体と蓋体との組合せ物に対する、弾性体の組立て作業を不要とすると共に、弾性体の組付き状態が適正となるようにすることを技術的課題とし、もって良好な動作を発揮する、この種のヒンジキャップを安価にかつ簡単に製作することを目的とする。
【課題を解決するための手段】
【００１０】
上記技術的課題を解決する本発明の内、請求項１記載の発明の手段は、
容器体の口筒部に組付く、頂壁に開口を開設した有頂筒形状のキャップ本体と、このキャップ本体に、ヒンジを介して、開口を開閉すべく回動可能に結合された蓋体と、ヒンジの近傍のキャップ本体部分と蓋体部分との間に組付き、蓋体に対して、この蓋体を全開姿勢に保持する弾力を作用させる弾性体と、から構成されること、
弾性体を、キャップ本体の一部と、全開姿勢の蓋体の一部とを成形型面の一部として、軟質弾性材料でインサート成形すること、
にある。
【００１１】
この請求項１記載の発明にあっては、弾性体を、キャップ本体の一部および蓋体の一部を成形型面の一部としてインサート成形するので、弾性体は、キャップ本体および蓋体に対して組付いた状態で成形され、このためキャップ本体と蓋体との組合せ物と弾性体との組立て作業は全く不要となる。
【００１２】
また、弾性体は、蓋体を全開姿勢としたキャップ本体と蓋体との組合せ物を、その成形型面の一部としてインサート成形されたものであるので、蓋体を全開姿勢としたキャップ本体と蓋体との組合せ物に対して、全く無理のない姿勢で組付くことになる。
【００１３】
成形された弾性体の、キャップ本体および蓋体に対する組付き部分は、組付くべきキャップ本体の部分および蓋体部分を成形型面の一部として成形されたものであるので、当然のことながら、キャップ本体および蓋体に対して適正に組付くことになる。
【００１４】
請求項２記載の発明は、請求項１記載の発明の構成に、ヒンジを間隔を空けて一対設け、キャップ本体の頂壁に、一対のヒンジ間に開放する陥没部を形成し、蓋体の主体部である本体板に、一対のヒンジ間に対向位置する中央欠部を形成し、弾性体を、キャップ本体の陥没部に不動に組付く組付き固定部と、この組付き固定部に基端を連結し、延出端である結合端を、蓋体の中央欠部の底端縁部に結合して、蓋体に弾力を作用させる作動部と、から構成した、ことを加えたものである。
【００１５】
この請求項２記載の発明にあっては、弾性体の組付き固定部が、一対のヒンジ間に開放しているキャップ本体の陥没部に位置し、弾性体の作動部が、一対のヒンジ間に対向位置する蓋体の中央欠部に対向位置することになるので、弾性体から蓋体に作用する弾力に伴う回転操作力は、左右にずれることなく、両ヒンジに均等に作用することになる。
【００１６】
また、弾性体の作動部の結合端は、蓋体の中央欠部の底端縁部、すなわち蓋体の中央部分に近い部分に結合するので、弾性体の弾力を、蓋体に対して有効に回動力として作用させることができることになる。
【００１７】
請求項３記載の発明は、請求項２記載の発明の構成に、弾性体の組付き固定部の上面の、作動部側端部に、蓋体が閉姿勢となった状態で、弾性体の作動部を下方から押上げ状に支える支え突片を起立設した、ことを加えたものである。
【００１８】
この請求項３記載の発明にあっては、蓋体が閉状態となると、弾性体の作動部が、支え突片による押上げ状の支えにより、上方に湾曲した姿勢となり、これにより作動部の弾力が、必ず蓋体を開放させる方向に作用することになり、また閉姿勢の蓋体に対する弾性体の弾力の作用方向が、作動部を支え突片が押上げた分だけ、上向きとなる。
【００１９】
請求項４記載の発明は、請求項１、２または３記載の発明の構成に、開口を、複数個並べて設けて振出し孔とした、ことを加えたものである。
【００２０】
この請求項４記載の発明にあっては、ヒンジキャップを、振出し用のヒンジキャップとして好適に機能させることができる。
【００２１】
請求項５記載の発明は、請求項１、２、３または４記載の発明の構成に、キャップ本体の筒壁の前側上端部に、操作釦を、連結片を介して前後に揺動変位可能に連結し、操作釦の上端に、この操作釦の指先操作による揺動変位により、蓋体のキャップ本体に対する閉姿勢を保持している係止を解除する押上げ片を突設した、ことを加えたものである。
【００２２】
この請求項５記載の発明にあっては、操作釦の揺動を利用したテコ作用により、閉姿勢時におけるキャップ本体と蓋体との係止を解除することになる。
【発明の効果】
【００２３】
本発明は、上記した構成となっているので、以下に示す効果を奏する。
請求項１記載の発明にあっては、キャップ本体と蓋体との組合せ物に対する弾性体の組付け作業が全く不要であり、これによりヒンジキャップ製造に要する工数および経費を小さくすることができる。
【００２４】
また、キャップ本体と蓋体との組合せ物に対する弾性体の組付き状態を、全く無理のない状態とすることができ、同様に、キャップ本体および蓋体に対する弾性体の組付きを、きわめて適正なものとすることができるので、キャップ本体と蓋体との組合せ物に対する弾性体の組付きを、安定して強固に維持することができる。
【００２５】
請求項２記載の発明にあっては、弾性体から蓋体に作用する力を、両ヒンジが均等に受け止めるので、蓋体の開姿勢が安定して保持されると共に、蓋体の開閉回動動作が、円滑で安定したものとなる。
【００２６】
また、弾性体の作動部の弾力を、蓋体に対して有効に回動力として作用させることができるので、弾性体の小型化が可能となり、その分、ヒンジキャップの製作が容易となると共に、高価な材料製の弾性体に要する経費を低減させることができる。
【００２７】
請求項３記載の発明にあっては、弾性体の作動部の弾力を、必ず蓋体を開放させる方向に作用させることになるので、弾性体による蓋体の確実な開放動作を得ることができ、また閉姿勢の蓋体に対する弾性体の弾力の作用方向の上向き程度が大きくなるので、弾性体の弾力を、蓋体の開放動作に効率良く作用させることができる。
【００２８】
請求項４記載の発明にあっては、ヒンジキャップを、振出し用のヒンジキャップとして好適に機能させることができる。
【００２９】
請求項５記載の発明にあっては、操作釦の揺動を利用したテコ作用により、キャップ本体と蓋体との係止を解除することができるので、キャップ本体と蓋体との係止力が強くても、操作釦により、簡単にキャップ本体と蓋体との係止を解除することができ、このため強固で安定したヒンジキャップの閉姿勢を得ることができると共に、このヒンジキャップを簡単に開放することができる。
【発明を実施するための最良の形態】
【００３０】
以下、本発明の実施形態を、図面を参照しながら説明する。
【００３１】
図１は、本発明によるヒンジキャップ１の一実施形態例を示す、下端部を不規則破断除去した、開姿勢の全体外観斜視図で、ヒンジキャップ１は、容器体２７（図２および図３参照）の口筒部２８に組付くキャップ本体２と、このキャップ本体２の後側上端部に一対のヒンジ２１を介して開閉回動可能に連結された蓋体１４と、一対のヒンジ２１の間に位置する姿勢で、キャップ本体２と蓋体１４との間に掛け渡された状態で組付けられた弾性体２２とから構成されている。
【００３２】
キャップ本体２は、容器体２７の口筒部２８に、着脱自在に螺合組付きする筒壁３と、この筒壁３の上端に連設された頂壁４とから成る有頂円筒形状をしていて、筒壁３の前側上端部から、頂壁４中央部を前後に横切って、筒壁３の後側上端部にかけて陥没部５が形成されている。
【００３３】
筒壁３の前側上端部に形成された陥没部５部分には、筒壁３との間にスリット９を形成した状態で、横一文字状の連結片７を介して板片状の操作釦６が上端部で一体に連結されており、この連結片７を軸として前後に揺動変位可能となっている操作釦６の上端縁には、押上げ片８が突設されている。
【００３４】
頂壁４の中央部に形成された陥没部５部分の、やや前寄りに偏った箇所に、上方に盛り上がった膨出部１０が形成されており、この膨出部１０の天板部分には、振出し孔として機能する複数（図示実施例の場合、五つ）の開口１１が開設されており、また膨出部１０の前側壁の上端部には、蓋体１４との間の係止機能部分を構成する係止条１２が、横突条状に突設されている。
【００３５】
なお、筒壁３の内側に位置して、頂壁４から垂下設されたシール筒１３は、キャップ本体２を容器体２７の口筒部２８に螺合組付けした際に、その下端面全域を口筒部２８の上端面に密接させ、もってヒンジキャップ１の容器体２７に対する組付きを、密なものとしている。
【００３６】
蓋体１４は、頂壁４上に形成された陥没部５部分に嵌まり込む、前後に緩やかに湾曲した板状の本体板１５を主体として構成され、この本体板１５の後端縁の両側端部を、ヒンジ２１を介してキャップ本体２に一体に連結しており、本体板１５の下面には、前端側から、操作釦６の押上げ片８が突当る突当り片１６が、次にキャップ本体２の係止条１２と組合わさって係止機能部分を構成する係止片１７が、さらに開口１１を嵌入により密閉する複数の栓片１８がそれぞれ突設されており、そして両ヒンジ２１間に対向位置する本体板１５の後側部分には、割溝状の中央欠部１９が切欠き形成されている。
【００３７】
中央欠部１９の底端縁部である組付き段部２０は、弾性体２２の作動部の延出端である結合端２４が結合する部分であるが、この結合端２４の結合が強固に達成されるように、段状さらには凹凸状に成形されている。
【００３８】
この蓋体１４とキャップ本体２との組合せ物は、ヒンジ２１を介して一体に成形されたものであるが、ヒンジ２１の機械的強度を確保するため、この蓋体１４とキャップ本体２との組合せ物は、ポリプロピレンで成形されるのが望ましい。
【００３９】
キャップ本体２と蓋体１４との間に設けられる弾性体２２は、キャップ本体２に不動に組付く組付き固定部２５と、この組付き固定部２５に基端を連結し、延出端である結合端２４を、蓋体１４の中央欠部１９の底端縁部である組付き段部２０に結合固定させた作動部２３とから構成されている。
【００４０】
この弾性体２２は、キャップ本体２と蓋体１４との組合せ物を、蓋体１４を全開姿勢にした状態で、キャップ本体２の陥没部５の、膨出部１０の後側から、筒壁３後側上端部にかけての部分と、蓋体１４の組付き段部２０とを成形型面の一部として、エラストマー等の軟質弾性材料によりインサート成形される。
【００４１】
作動部２３の基端は、組付き固定部２５の、筒壁３後側上端部に位置した部分の下端に連結しているが、この部分はヒンジ２１よりも下位に位置するので、その分、作動部２３の長さを大きくすることができ、これにより蓋体１４に対する作動部２３の弾力の作用状態が、緩やかで滑らかなものとなり、また作動部２３の弾力を蓋体１４に対して、ヒンジ２１を支点としたテコ作用を利用して作用させることになるので、これにより蓋体１４に対する作動部２３の弾力の作用状態が、円滑で効率の良いものとなる。
【００４２】
また、頂壁４上の陥没部５部分に位置した、弾性体２２の組付き固定部２５の上面後端部に起立設された支え突片２６は、蓋体１４が閉姿勢（図３参照）となった際に、作動部２３の姿勢を、上方に湾曲して本体板１５に沿ったものとすることにより、ヒンジキャップ１の閉姿勢時の外観体裁を良いものとする作用を発揮するが、これとは別に、閉姿勢となった蓋体１４に作用する作動部２３からの弾力を、この支え突片２６の上端を支点として作用させることにより、作動部２３の弾力が、蓋体１４の開放動作に有効に作用することになる。
【００４３】
蓋体１４の開放動作は、操作釦６を指先で押し込むことにより達成されるが、この蓋体１４の開放動作は、押し込みにより操作釦６は、連結片７を支点として上端部を前方に突出すように揺動変位するので、この揺動変位により上端部の押上げ片８が、蓋体１４の突当り片１６を押上げ、これにより係止条１２と係止片１７との係止を強制的に解除され、その後は、弾性体２２の弾力により蓋体１４は回動開放する。
【図面の簡単な説明】
【００４４】
【図１】本発明の一実施形態例を示す、一部破断した全体外観斜視図である。
【図２】本発明の開姿勢の一実施形態例を示す、要部縦断全体側面図である。
【図３】本発明の閉姿勢の一実施形態例を示す、要部縦断全体側面図である。
【符号の説明】
【００４５】
１  ；  ヒンジキャップ
２  ；  キャップ本体
３  ；  筒壁
４  ；  頂壁
５  ；  陥没部
６  ；  操作釦
７  ；  連結片
８  ；  押上げ片
９  ；  スリット
１０；  膨出部
１１；  開口
１２；  係止条
１３；  シール筒
１４；  蓋体
１５；  本体板
１６；  突当り片
１７；  係止片
１８；  栓片
１９；  中央欠部
２０；  組付き段部
２１；  ヒンジ
２２；  弾性体
２３；  作動部
２４；  結合端
２５；  組付き固定部
２６；  支え突片
２７；  容器体
２８；  口筒部
【図１】
2006335401.tif 000003
【図２】
2006335401.tif 000004
【図３】
2006335401.tif 000005